(57)【特許請求の範囲】
【請求項１】
自走機体の前部の自走機体横方向での一端側にエンジン排気マフラーを配置し、前記自走機体の後部に苗植付装置を昇降操作自在に連結するとともに、前記苗植付装置が有する施肥ノズルにペースト肥料を供給する施肥ポンプを、前記自走機体の後部の自走機体横方向での前記エンジン排気マフラーが位置する側とは反対の横端側に備えてある施肥装置付き乗用型田植機であって、
自走機体の前部の両横側に配置した肥料タンクのうち、エンジン排気マフラーから遠い方の肥料タンクを、この肥料タンクに一端側が接続し、他端側が前記施肥ポンプに接続している肥料供給主管路によって前記施肥ポンプに接続し、自走機体の前部の両横側に配置した肥料タンクのうち、エンジン排気マフラーに近い方の肥料タンクを、この肥料タンクに一端側が接続し、他端側が前記肥料供給主管路の途中に接続している肥料供給枝管路と、前記肥料供給主管路とで成るとともに前記肥料供給主管路よりも長い管経路によって施肥ポンプに接続してある施肥装置付き乗用型田植機。
【請求項２】
前記自走機体両横側の肥料タンクを予備苗収容装置における苗載せ棚の下方の収納スペースに入り込んだ取付け位置と、前記収納スペースから出た取付け位置とに切り換え自在に取付けるとともに、前記肥料タンクを施肥ポンプに接続しているホースのための支持部を前記予備苗収容装置における苗棚支柱に備えてある請求項１記載の施肥装置付き乗用型田植機。
【請求項３】
前記肥料供給主管路を、エンジン燃料タンクの機体内方側の横側に位置する管路部分と、この管路部分とは別部品に作成してこの管路部分に接続したその他の管路部分とによって構成してある請求項１又は２記載の施肥装置付き乗用型田植機。
【請求項４】
前記肥料供給枝管路の途中に、ドレン孔を水平又はほぼ水平方向に開口する状態で設けてある請求項１〜３のいずれか１項に記載の施肥装置付き乗用型田植機。
【発明の詳細な説明】
【０００１】
【発明の属する技術分野】
本発明は、自走機体の後部に苗植付装置を昇降操作自在に連結するとともに、前記苗植付装置が有する施肥ノズルにペースト肥料を供給する施肥ポンプを備えてある施肥装置付き乗用型田植機に関する。
【０００２】
【従来の技術】
【０００３】
【０００４】
上記田植機において、特開２０００−２３５１９号公報に示されるように、自走機体の両横側に肥料タンクを設けるとともに、この左右一対の肥料タンクから施肥ポンプに肥料供給するように構成すると、ペースト肥料の重量が自走機体の両横側に分散した重量バランスの良い状態で肥料搭載できる。
【０００５】
【０００６】
【発明が解決しようとする課題】
【０００７】
【０００８】
肥料タンクを自走機体の両横側に設けた場合、一方のタンクの肥料が他方のタンクの肥料よりも速く消費されることになると、作業が進むに伴い、機体の左右重量のバランスが悪くなっていく。
【０００９】
【００１０】
【００１１】
【００１２】
【００１３】
本発明の目的は、作業の開始当初においても作業が進んでからもペースト肥料の重量が自走機体の両横側に極力バランスよく分散するようにして肥料を搭載できる施肥装置付き乗用型田植機を提供することにある。
【００１４】
【課題を解決するための手段】
請求項１による発明の構成、作用、効果はつぎのとおりである。
【００１５】
〔構成〕
自走機体の前部の自走機体横方向での一端側にエンジン排気マフラーを配置し、前記自走機体の後部に苗植付装置を昇降操作自在に連結するとともに、前記苗植付装置が有する施肥ノズルにペースト肥料を供給する施肥ポンプを、前記自走機体の後部の自走機体横方向での前記エンジン排気マフラーが位置する側とは反対の横端側に備えてある施肥装置付き乗用型田植機において、
自走機体の前部の両横側に配置した肥料タンクのうち、エンジン排気マフラーから遠い方の肥料タンクを、この肥料タンクに一端側が接続し、他端側が前記施肥ポンプに接続している肥料供給主管路によって前記施肥ポンプに接続し、自走機体の前部の両横側に配置した肥料タンクのうち、エンジン排気マフラーに近い方の肥料タンクを、この肥料タンクに一端側が接続し、他端側が前記肥料供給主管路の途中に接続している肥料供給枝管路と、前記肥料供給主管路とで成るとともに前記肥料供給主管路よりも長い管経路によって施肥ポンプに接続してある。
【００１６】
【００１７】
【００１８】
【００１９】
【００２０】
【００２１】
【００２２】
【００２３】
【００２４】
〔作用〕
エンジン排気マフラーから遠い肥料タンクのペースト肥料は、肥料供給主管路によって施肥ポンプに供給され、マフラーに近い肥料タンクのペースト肥料は、肥料供給枝管路によって肥料供給主管路の途中に供給されて施肥ポンプに供給されるから、マフラーに近い肥料タンクの肥料は、マフラーから遠い肥料タンクの肥料より長い管路抵抗を受けながら施肥ポンプに供給される。マフラー近くの肥料タンクのペースト肥料は、マフラーから遠い肥料タンクの肥料に比し、マフラーの放熱によって加温されやすくて流動しやすい状態になる。これにより、左右の肥料タンクに等量のペースト肥料を投入し、機体の両横側に掛る肥料重量が等しくなるようにして作業を開始しても、左側の肥料タンクに投入した肥料と、右側の肥料タンクに投入した肥料とは、左右タンクの肥料に作用する管路抵抗の差と、左右タンクの肥料の流動性の差とのために両タンクの単位時間当たりの消費量が極力等しくなる状態で施肥ポンプに供給され、作業が進んで左右タンクの肥料残量が変化しても、左右タンクに残る肥料の量が極力等しくなって機体の両横側に掛る肥料重量が極力等しくなるようにしながら作業を進められる。
【００２５】
〔効果〕
したがって、作業を開始した当初においても、作業が進んで左右タンクそれぞれの肥料量が変化した後においても機体の両横側に極力等しい肥料重量が掛かり、左右の重量バランスが良い状態を維持して蛇行しにくくしながら、容易に操縦しながら作業できる。
【００２６】
請求項２による発明の構成、作用、効果はつぎのとおりである。
【００２７】
〔構成〕
請求項１記載の発明の構成において、前記自走機体両横側の肥料タンクを予備苗収容装置における苗載せ棚の下方の収納スペースに入り込んだ取付け位置と、前記収納スペースから出た取付け位置とに切り換え自在に取付けるとともに、前記肥料タンクを施肥ポンプに接続しているホースのための支持部を前記予備苗収容装置における苗棚支柱に備えてある。
【００２８】
〔作用〕
ホースのための支持部を予備苗収容装置における苗棚支柱に備えてあるものだから、タンクを収納スペースから出すことを可能にする長さをホースに備えさせるのに、ホースを苗棚支柱によってタンクの近くで支持させ、タンクを出し入れする際や走行する際にホースが大きく揺れ動かないようにしながら備えさせられる。
【００２９】
〔効果〕
タンクの出し入れを可能にするための長さをホースに備えさせ、タンクを収納スペースから出して肥料投入をしやすくしたり、収納スペースに戻して操縦をしやすくしたりできる。
その割には、ホースの大きな揺れ動きを抑制してホースが周辺の部材に当るなどの事態を発生しにくくできるとともに、苗棚支柱をホース支持手段に利用して構造簡単に得られる。
【００３０】
請求項３による発明の構成、作用、効果はつぎのとおりである。
【００３１】
〔構成〕
請求項１又は２記載の発明の構成において、前記肥料供給主管路を、エンジン燃料タンクの機体内方側の横側に位置する管路部分と、この管路部分とは別部品に作成してこの管路部分に接続したその他の管路部分とによって構成してある。
【００３２】
〔作用〕
自走機体の組み立てを行う際に、管路部分を燃料タンクの横側の所定の組付け位置に組付ける。このとき、燃料タンクが障害物にならないように、燃料タンクの組付けを行う前に組付ける。自走機体の組み立てが終えて施肥装置の組付けを行う際、肥料供給管路の前記管路部分とは別部品に作成した管路部分を、既に機体に組付けられている管路部分に接続するという組付け方法を採用し、肥料供給管路を燃料タンクの横側を通る配管状態にして組付けることができる。
【００３３】
〔効果〕
したがって、肥料供給管路を燃料タンクの横側を通る配管状態にして組付ける割には、燃料タンクが障害物にならないようにして能率よく組み付け作業できる。
【００３４】
請求項４による発明の構成、作用、効果はつぎのとおりである。
【００３５】
〔構成〕
請求項１〜３のいずれか１項による発明の構成において、前記肥料供給枝管路の途中に、ドレン孔を水平又はほぼ水平方向に開口する状態で設けてある。
【００３６】
〔作用〕
ドレン管の少なくとも基端側がドレン孔から水平又はほぼ水平向きに延出するようにしてドレン管をドレン孔に接続できる。すると、作業時に肥料タンクから供給管路に流入したペースト肥料の一部がドレン孔からドレン管に入り込んでも、供給管路の肥料が施肥ポンプに取り入れられて肥料管路が空になっていくに伴い、ドレン管に入り込んでいた肥料が供給管路のドレン孔から供給管路に逆流し、ドレン管の内部に肥料が残留しにくくなるとか、残留してもわずかになる。
【００３７】
〔効果〕
したがって、肥料タンクに肥料が残った場合、ドレン孔から取り出すことができる。しかも、供給管路からドレン管に流入した肥料が供給管路に容易に逆流し、ドレン管に多量の肥料が残って取り出しに手間が掛るとか、残留した肥料が固化して詰まるというトラブルが発生しにくいようにできた。
【００３８】
【発明の実施の形態】
図１、図２に示すように、左右一対の操向及び駆動自在な前車輪１、左右一対の駆動自在な後車輪２、原動部の両横側に位置する予備苗収容装置３、運転座席４を有する運転部のそれぞれを備えた自走機体の機体フレーム５の後端部にリンク機構６を介して苗植付装置１０を連結するとともに、自走機体から回転軸７によって苗植付装置１０に動力伝達するように構成し、かつ、リンク機構６をリフトシリンダ８によって機体フレーム５に対して上下に揺動操作することによって苗植付装置１０を昇降操作するように構成してある。自走機体の原動部の両横側に配置した肥料タンク２１、苗植付装置１０に設けた複数本の側条施肥ノズル２２を有する側条施肥装置２０と、自走機体の運転座席４の横側に配置した肥料タンク３１、苗植付装置１０に設けた複数本の深層施肥ノズル３２を有する深層施肥装置３０を備えさせて、もって、施肥装置付き乗用型田植機を構成してある。  この施肥装置付き乗用型田植機は、自走機体を走行させることにより、苗植付装置１０によって複数条の苗植付けを行い、この苗植付け作業を行うと同時に側条施肥装置２０と深層施肥装置３０とによってペースト肥料を圃場に供給していく施肥作業ができるものであり、詳しくは次の如く構成してある。
【００３９】
図２、図６などに示すように、苗植付装置１０は、植付け機体フレームを形成するとともに植付け機体の横方向に並んでいる複数個の植付け伝動ケース１１それぞれの後端部の両横側に苗植付け機構１２を駆動自在に取付け、この複数の苗植付機構１２に各別に供給するマット状苗を機体横方向に並べて載置する苗載置部を備えた苗載せ台１３を、植付け機体の前部の上側に機体横方向に摺動自在に取付けるとともに苗植付機構１２が苗植え運動を行うのに連動して機体横方向に往復移送されて各苗植付機構１２に苗供給するように構成し、植付け機体の下部に植付け機体の横方向に並ぶ複数個の接地フロート１４を取付けることによって構成してある。
【００４０】
図８などに示すように、側条施肥装置２０は、自走機体に設けた前記左右一対の肥料タンク２１と、この両肥料タンク２１の肥料排出部に可撓性パイプなどで成る肥料供給管路２４によって肥料取入れ部が接続している状態で、自走機体の後部における横一端側の運転座席４より後側に位置する部分に自走機体の横方向に並んで位置している複数個の側条施肥ポンプ２３と、この複数個の側条施肥ポンプ２３の吐出側に肥料供給ホース２５によって各別に接続している状態で苗植付装置１０に位置する複数本の側条施肥ノズル２２とによって構成してある。複数本の側条施肥ノズル２２は、苗植付装置１０の各苗植付機構１２の横側近くに１本ずつ位置するように配置して、かつ、先端側が接地フロート１４の底面より下方に突出して圃場の泥土内に入り込むようにして接地フロート１４に取付けてある。
【００４１】
図８などに示すように、深層施肥装置３０は、自走機体に設けた前記肥料タンク３１と、この肥料タンク３１の肥料排出部に可撓性パイプで成る肥料供給管路３４によって肥料取入れ側が接続している状態で、自走機体の後部の前記側条施肥ポンプ２３が位置する側とは反対側の横側の運転座席４より後側に位置する部分に自走機体の横方向に並んでいる複数個の深層施肥ポンプ３３と、この複数個の深層施肥ポンプ３３の吐出側に肥料供給ホース３５によって各別に接続している状態で苗植付装置１０に位置する複数本の深層施肥ノズル３２とによって構成してある。複数本の深層施肥ノズル３２は、苗植付装置１０の苗植付け予定箇所どうしの間に１本ずつ位置するように配置して、かつ、先端側が接地フロート１４の底面より下方に突出して圃場の泥土内に前記側条施肥ノズル２２より深く入り込むようにして接地フロート１４に取付けてある。
【００４２】
側条施肥ポンプ２３を複数本の側条施肥ノズル２２に各別に接続している複数本の前記肥料供給ホース２５は、自走機体と苗植付装置１０との間において１本のコルゲートチューブによって纏めて束にするとともにカバーしてある。深層施肥ポンプ３５を複数本の深層施肥ノズル３２に各別に接続している複数本の前記肥料供給ホース３５は、自走機体と苗植付装置１０との間において１本のコルゲートチューブによって纏めて束にするとともにカバーしてある。
【００４３】
これにより、側条施肥装置２０も深層施肥装置３０も、肥料タンク２１，３１にペースト肥料を投入しておくと、この肥料を各施肥ポンプ２３，３３によって肥料タンク２１，３１から取り出して施肥ノズル２２，３２に供給し、苗植付装置１０の各苗植付機構１２が苗植付けする箇所の近くの泥土内に施肥ノズル２２，３２によってこのノズル２２，３２の突入深さによって決まる深さで供給する。側条施肥装置２０は、苗植付装置１０の複数個の苗植付機構１２による複数条の植付け苗それぞれの横側近くに肥料供給し、深層施肥装置３０は、苗植付装置１０による植付け苗どうしの間に、深層施肥ノズル３２と側条施肥ノズル２２の接地フロート１４から下方に突出する長さの差によって、側条施肥装置２０より深い箇所に肥料供給する。
【００４４】
いずれの側条施肥ポンプ２３も、いずれの深層施肥ポンプ３３も図１２に示す如く構成してある。
すなわち、ポンプ室４０、このポンプ室４０の一端側に吐出孔４１ａが連通している吐出部４１、前記ポンプ室４０の一端側に感圧検出部が臨んでいる詰まりセンサー４２をそれぞれ一端側に備え、前記ポンプ室４０の他端側に肥料取入れ室４３ａが連通している肥料取入れ筒部４３、及び、取付け脚部４４を中間部に備え、駆動ケース部４５を他端側に備えているポンプケーシング４６と、前記ポンプ室４０に固定されているゴム製のポンプチューブ４７と、このポンプチューブ４７を回動自在に貫通している螺旋ポンプ体４８と、前記駆動ケース部４５に回動自在に支持されているポンプ駆動軸４９とによって構成してある。
【００４５】
ポンプ駆動軸４９は、このポンプ駆動軸４９とポンプ体４８との肥料取入れ筒部４３の内部に位置している端部どうしを一体回動自在に連結している連結具４９ａによってポンプ体４８に一体回動自在に連結している。ポンプ駆動軸４９及びポンプ体４８の肥料取入れ筒部４３の内部に位置する部分を、肥料取入れ筒部４３に対して偏位するように配置してある。すなわち、ポンプ駆動軸４９及びポンプ体４８の肥料取入れ筒部４３の内部に位置する部分が肥料取入れ室４３ａ、及び、肥料取入れ室４３ａの両横側の肥料取入れ口４３ｂに対して上方側に偏心して位置し、肥料取入れ筒部４３の底側にペースト肥料が通り抜けやすい流路を形成するようにしてある。
【００４６】
図９、図１０などに示すように、複数個の側条施肥ポンプ２３も、複数個の深層施肥ポンプ３３も、肥料取入れ筒部４３の軸芯が自走機体の横向きになり、吐出部４１の付いている方が後向きになる姿勢で自走機体の横方向に一列に並ぶように配置し、自走機体の機体フレーム５の後部に座席支持部材６０を介して固定されているポンプ台６１に各ポンプ２３，３３の前記取付け脚部４４を取付けボルトによって固定することによって、自走機体に取付けてある。
【００４７】
図１０、図１３などに示すように、側条施肥ポンプ２３においても、深層施肥ポンプ３３においても、隣接し合う一対のポンプ２３，３３の肥料取入れ筒部４３どうしを直接に接続して連通させてある。ポンプ列の両端に位置するポンプ２３，３３の肥料取入れ筒部４３に取付けた筒体５１が備えているフランジどうしにわたって取付けた連結ロッド５２と、この連結ロッド５２の一端側に装着したナットとによる締め付け力によって、各ポンプ２３，３３の肥料取入れ筒部４３及び前記連通管５０を連結状態に締め付け固定してある。前記一対の筒体５１の一方に肥料タンク２１，３１からの肥料供給管路２４，３４を接続して各ポンプ２３，３３の肥料取入れ筒部４３を肥料タンク２１，３１に連通させ、他方の筒体５１にキャップ５３を取付けてある。
【００４８】
これにより、各側条施肥ポンプ２３も各深層施肥ポンプ３３も、ポンプ駆動軸４９を駆動することにより、この回動力によってポンプ体４８が駆動され、このポンプ体４８とポンプチューブ４７とによるポンプ作用により、肥料タンク２１，３１から肥料取入れ筒部４３に供給されるペースト肥料をポンプ室４０に取り入れ、ポンプ室４０から吐出部４１に吐出して前記肥料供給ホース２５，３５に供給する。
【００４９】
各側条施肥ポンプ２１も、各深層施肥ポンプ３１も、自走機体の前部に位置するミッションケース７０の出力軸の回動力を前記回転軸７に伝達する回転軸７５の回動力を図９、図１０、図１１に示す伝動構造によってポンプ駆動軸４９に伝達することによって駆動するようにしてある。
すなわち、側条施肥ポンプ２１のための伝動構造は、前記回転軸７５の途中に一体回転自在に取付けたチェーンスプロケットに巻回している入力チェーン８１と、自走機体の座席支持部材６０に取付けた支持部材６２によって一端側が回動自在に支持され、ポンプ台６１の支柱部６１ａに取付けた支持部材６３によって他端側が回動自在に支持されているとともに一端に前記入力チェーン８１が巻回している機体前後向きの伝動軸８２と、この伝動軸８２の他端側に巻回している伝動チェーン８３と、この伝動チェーン８３が入力軸２６ａに巻回しているとともに前記ポンプ台６１の変速装置支持部６１ｃに固定してある側条変速装置２６と、この側条変速装置２６の出力軸２６ｂをこの側条変速装置２６の最も近くに位置する側条施肥ポンプ２３のポンプ駆動軸４９に備えてあるポンプクラッチ１００の入力側回転体に連動連結しているポンプ駆動チェーン８４と、隣接し合う一対の側条施肥ポンプ２３のポンプクラッチ１００の入力側回転体どうしを連動連結しているポンプ駆動チェーン８５と、各側条施肥ポンプ２３のポンプ駆動軸４９に備えてある噛合い式の前記ポンプクラッチ１００とによって構成してある。
【００５０】
深層施肥ポンプ３３のための伝動構造は、前記入力チェーン８１と、前記伝動軸８２と、この伝動軸８２の他端側に巻回している伝動チェーン９１と、この伝動チェーン９１が入力軸３６ａに巻回しているとともに前記ポンプ台６１の変速装置支持部６１ｃに固定してある深層変速装置３６と、この深層変速装置３６の出力軸３６ｂをこの深層変速装置３６の最も近くに位置する深層施肥ポンプ３３のポンプ駆動軸４９に備えてあるポンプクラッチ１００の入力側回転体に連動連結しているポンプ駆動チェーン９２と、隣接し合う一対の深層施肥ポンプ３３のポンプクラッチ１００の入力側回転体どうしを連動連結しているポンプ駆動チェーン９３と、各深層施肥ポンプ３３のポンプ駆動軸４９に備えてある噛合い式の前記ポンプクラッチ１００とによって構成してある。
【００５１】
図８に示すように、前記左右一対の肥料タンク２１から各側条施肥ポンプ２３に肥料供給する前記肥料供給管路２４は、左側の肥料タンク２１と右側の肥料タンク２１のうち、エンジン排気マフラー７１から遠くに位置する方の肥料タンク２１の肥料排出部から自走機体の前ステップ７２の後端側の下方に入り、自走機体の運転ステップ７３の横一端側の下方に位置するエンジン燃料タンク７４の両横側のうちの機体内側の横側を通って自走機体の機体メインフレームの後端部の横外側に至り、この部位から側条施肥ポンプ列の端に上昇してポンプ列の端のポンプ２３に接続している肥料供給主管路２４ａと、エンジ排気マフラー７１の近くに位置する方の肥料タンク２１の肥料排出部から自走機体の前ステップ７２の後端側の下方に入り、自走機体の運転ステップ７３の横他端側の下方を通って自走機体の機体メインフレームの後端部の横外側に至り、この部位から自走機体の横方向に機体メインフレームの後端部の反対側の横外側に至って前記肥料供給主管路２４ａの途中に接続している肥料供給枝管路２４ｂとによって構成してある。
これにより、左右一対の肥料タンク２１のうち、エンジン排気マフラー７１から遠く離れている方の肥料タンク２１は、肥料供給主管路２４ａによって側条施肥ポンプ２３に接続していて、他方の肥料タンク２１より短い管経路を経て側条施肥ポンプ２３に肥料供給する。左右一対の肥料タンク２１のうち、エンジン排気マフラー７１に近くて肥料がマフラー７１の放熱による加温を受けやすい肥料タンク２１は、肥料供給枝管路２４ｂと、肥料供給主管路２４ａのポンプ側の一部分とによって側条施肥ポンプ２３に接続していて、他方の肥料タンク２１より長い管経路を経て側条施肥ポンプ２３に肥料供給する。
【００５２】
前記肥料供給主管路２４ａは、エンジン燃料タンク７４の横側に位置する塩化ビニール管で成る管路部分７７と、この管路部分７７とは別の配管部品に作成した可撓性ホースで成り、一端側が前記管路部分７７に、他端側が肥料タンク２１の肥料排出部にそれぞれ接続しているタンク側の管路部分７８と、前記管路部分７７とは別の配管部品に作成した可撓性ホースや、前記肥料供給枝管路２４ｂが接続する接続管などで成り、一端側が前記管路部分７７に、他端側が側条施肥ポンプ２３にそれぞれ接続しているポンプ側管路部分７９とによって構成してある。
【００５３】
図３、図４などに示すように、前記左右一対の予備苗収容装置３のそれぞれは、自走機体の機体フレーム５から横外向きに延出する前後一対の支持杆６５によって屈曲パイプで成る苗棚支柱３ａを支持させ、この苗棚支柱３ａの上下方向での複数箇所で、苗棚支柱３ａの前側支柱部分３ｆと後側支柱部分３ｒとにわたって苗載せ棚３ｂを取付けることによって構成してある。
【００５４】
図１４〜図１６に示すように、前記左右一対の肥料タンク２１のそれぞれは、肥料タンク２１の底部の外面側に連結ボルト１０１によって締め付け固定したタンク支持体１０２を有する取付け構造によって自走機体に取り付けてある。
【００５５】
すなわち、自走機体が備える前記前側の支持杆６５に屈曲パイプで成る取付け杆１０３を介して前端側が連結し、自走機体が備える前記後側の支持杆６５から延出している支持アーム１０４に後端側が連結している左右一対の機体前後向きの支持レール１０５に、前後一対のローラ支軸１０６を介して前記タンク支持体１０２を取付けてある。前記前後一対のローラ支軸１０６のそれぞれは、タンク支持体１０２の左右一対のメイン支持板１０２ａに架設してあるとともに、前後一対のローラ支軸１０６それぞれのメイン支持板１０２ａの上下辺部から横外側に突出している両端部に、前記支持レール１０５のガイド溝に入り込んでいるローラ１０７を回動自在に取付けてある。
【００５６】
これにより、左右の各肥料タンク２１は、左右の支持レール１０５に沿わせて機体前後方向に移動操作でき、この移動操作を行うことにより、図１４に実線で示す如く予備苗収容装置３の苗載せ棚３ｂの下方の収納スペースに入り込んだ取付け位置と、図１４に一点鎖線で示す如く肥料タンク２１の前端側に位置する肥料投入口２１ａが前記収納スペースから前方側に出た取付け位置とに位置変化する。
【００５７】
前記タンク支持体１０２の前後一対の支持板１０２ｂに取付け軸１１０によってロック爪１１１を回動自在に取付け、このロック爪１１１をロックばね１１２による付勢力によって一方の支持レール１０５の切欠き部１０５ａに入り込ませることによって、肥料タンク２１を前記収容スペースに入り込んだ取付け位置に固定するようにロック機構を構成してある。
【００５８】
つまり、肥料タンク２１にペースト肥料を投入する際、前記取付け軸１１０のタンク支持体１０２から前方に突出している端部に一体回動自在に取付けてある回転式の操作具１１３によって取付け軸１１０を回動操作し、ロック爪１１１を支持レール１０５の切欠き部１０５ａから離脱する側に揺動操作してロック機構を解除状態に切り換えながら肥料タンク２１を前記収納スペースから前方側に移動操作し、肥料投入口２１ａを予備苗収容装置３の苗載せ棚３ｂが肥料投入の障害にならないようにこの苗載せ棚３ｂの下方から前方に出して肥料投入する。そして、作業を行うなど走行する際、肥料タンク２１を運転部から前方を見通すことの障害物になりにくいように予備苗収容装置３の苗載せ棚３ｂの下方の収納スペースに戻し、この取付け位置にロック機構によって動かないように固定する。
【００５９】
前記左右一対の肥料タンク２１それぞれにおいて、タンク２１の肥料排出部に接続して前記肥料供給管路２４の前記主管路２４ａ、枝管路２４ｂを形成している可撓性ホース７８，８０の途中を、予備苗収容装置３の苗棚支柱３ａにおける前側支柱部分３ｆにロッド製のホース受け金を取り付けて設けた支持部３ｃに引っ掛けて支持させてある。タンク２１の上部に位置するブレザーノズル１１５から延出している可撓性のブレザーパイプ１１６の延出端側部を、ブレザーパイプ１１６の開口１１６ａが予備苗収容装置３の下から２段目の苗載せ棚３ｂの下面付近に位置するように配置して苗棚支柱３ａにおける前側支柱部分３ｆに固縛具１１７によって固定して支持させてある。
【００６０】
図１８、図１９に示すように、前記左右一対の肥料タンク２１を側条施肥ポンプ２３に接続している前記肥料供給管路２４における肥料供給枝管路２４ｂ、及び、前記肥料タンク３１を深層施肥ポンプ３３に接続している肥料供給管路３４のそれぞれに、ドレンコック１２０が途中に付いているドレン管１２１を接続してある。
肥料タンク２１からの肥料供給枝管路２４ｂに接続しているドレン管１２１は、肥料供給枝管路２４ｂの車体横向き部分の途中にドレン孔１２２を有する硬質パイプを備えさせることによって設けた車体前方向きに水平又はほぼ水平方向に開口する前記ドレン孔１２２に接続してある。肥料タンク３１からの肥料供給管路３４に接続しているドレン管１２１は、肥料供給管３４の途中にドレン孔１２２を有する硬質パイプを備えさせることによって設けた車体横外向きに水平又はほぼ水平方向に開口する前記ドレン孔１２２に接続してある。
【００６１】
図７に示すように、苗植付装置１０の機体フレームを形成する機体横向きの角パイプ材１６の２箇所に接地スタンド１２５を取付けてある。
図１７に示すように、前記各接地スタンド１２５の基端側に位置する取付け部１２５ａが、前記角パイプ材１６に支持部材１２６を固定して設けた支持部１２６ａに連結ピン１２７によって回動自在に連結している。
これにより、各接地スタンド１２５は、各パイプ材１６に対して連結ピン１２７の機体横向きの軸芯まわりで揺動して昇降するように操作でき、揺動操作することにより、図１７（イ）に示す如く前記支持部１２６ａから機体後方向きに延出し、接地スタンド１２５の全体にわたって接地フロート１４より上方に位置するとともに前記取付け部１２５ａよりやや遊端側に位置する部分が各接地フロート１４の後端側を高さ調節自在に支持しているフロート支持パイプ１７に当接して受止め支持される上昇格納姿勢と、図１７（ロ）に示す如く前記支持部１２６ａから機体下向きに延出し、基端側が前記支持部材１２６のクッション材で成る支持面１２６ｂに当接して支持部材１２６を介して植付け機体フレームによって受け止め支持され、遊端側が接地フロート１４より下方に突出した下降使用姿勢とに姿勢変化するように構成してある。
【００６２】
各接地スタンド１２５において、スタンド１２５の基端側に設けたばね掛けピン１２８と、前記支持部材１２６に設けたばね掛けピン１２９とにわたってスタンドばね１３０を取付けてある。このスタンドばね１３０は、接地スタンド１２５が昇降するに伴ってばね掛けピン１２８が連結ピン１２７のまわりで移動することのために接地スタンド１２５を上昇側に揺動付勢する状態と、接地スタンド１２５を下降側に揺動付勢する状態とに切り換わる。これにより、接地スタンド１２５は、前記上昇格納姿勢になった場合にはこの姿勢に、前記下降使用姿勢になった場合にはこの姿勢にそれぞれスタンドばね１３０によって保持される。
【００６３】
つまり、作業を行う際には、各接地スタンド１２５を作業の障害にならないように上昇格納姿勢に切り換え、この姿勢にスタンドばね１３０によって保持させておく。そして、苗植付装置１０を地面や荷台上などに下降させて支持させる際、各接地スタンド１２５を下降使用姿勢に切り換えておく。すると、各接地スタンド１２５は、スタンドばね１３０によって下降使用姿勢に保持されており、苗植付装置１０が下降していくに伴い、各接地スタンド１２５の遊端側にゴム材を付設して設けてある接地部１２５ｂが各深層施肥ノズル３２及び各側条施肥ノズル２２に先立って地面や荷台上に到達し、各接地スタンド１２５が各深層施肥ノズル３２及び各側条施肥ノズル２２が地面や荷台から浮上する状態にして苗植付装置１０を支持する。これにより、深層施肥ノズル３２や側条施肥ノズル２２に苗植付装置１０の荷重が掛らないようにしながら苗植付装置１０を地面や荷台上に降ろして支持させられる。
【００６４】
〔別の実施形態〕
図２１は、別の実施形態を示す施肥装置付き乗用型田植機の施肥ポンプの配設部を示し、この田植機にあっては、８条植えが可能な苗植付装置を備えており、８個の側条施肥ポンプ２３を有する側条施肥装置と、４個の深層施肥ポンプ３３を深層施肥装置とを備えてあるとともに、全ての側条施肥ポンプ２３、側条施肥変速装置２６、全ての深層施肥ポンプ３３、深層施肥変速装置３６の上方を一つのカバー１３３によって覆うように構成してある。
【００６５】
前記カバー１３３は、メインカバー１３３ａと、このメインカバー１３３ａとは別部品に形成してメインカバー１３３ａの両横側に増設したサブカバー１３３ｂとによって構成してある。メインカバー１３３ａには、６個の側条施肥ポンプ２３と、３個の深層施肥ポンプ３３と、１個の側条施肥変速装置２６と、１個の深層施肥変速装置３６とを搭載した田植機のそれらの上方を覆うためのカバーと同一の大きさ及び形状を備えてある。すなわち、６条植え田植機に装着するカバーと、８条植え田植機に装着するメインカバー１３３ａとを兼用できるようにしてある。
【図面の簡単な説明】
【図１】施肥装置付き乗用型田植機全体の側面図
【図２】施肥装置付き乗用型田植機全体の平面図
【図３】予備苗収容装置及び肥料タンクの配設部の側面図
【図４】施肥装置付き乗用型田植機全体の正面図
【図５】施肥ポンプ搭載部の側面図
【図６】苗植付装置の側面図
【図７】施肥ノズル配設部の平面図
【図８】側条施肥装置及び深層施肥装置の概略平面図
【図９】施肥ポンプ及び施肥変速装置搭載部の正面図
【図１０】施肥ポンプ及び施肥変速装置搭載部の平面図
【図１１】施肥ポンプ搭載部の側面図
【図１２】施肥ポンプの断面図
【図１３】側条施肥ポンプの連結部の断面図
【図１４】肥料タンク取付構造の断面図
【図１５】肥料タンク取付構造の平面図
【図１６】肥料タンクロック機構の後面図
【図１７】接地スタンド配設部の側面図
【図１８】側条施肥用の肥料供給管路におけるドレン部の平面図
【図１９】深層施肥用の肥料供給路におけるドレン部の平面図
【図２０】ドレン部の縦断面図
【図２１】別の実施形態を備える田植機の施肥ポンプ配設部の平面図
【図２２】別の実施形態を備える田植機のカバーの斜視図
【符号の説明】
３              予備苗収容装置
３ｂ            苗載せ棚
３ｆ            苗棚支柱
１０            苗植付装置
２１，３１      肥料タンク
２２，３２      施肥ノズル
２３，３３      施肥ポンプ
２４ａ，２４ｂ，３４      肥料供給管路
７１            エンジン排気マフラー
７４            エンジン燃料タンク
７７            管路部分
７８，７９      管路部分
８０            ホース
１１６          ブレザーパイプ
１１６ａ        ブレザーパイプの開口
１２２          ドレン孔
１２５          接地スタンド
【図１】
0003618299.tif 000002
【図２】
0003618299.tif 000003
【図３】
0003618299.tif 000004
【図４】
0003618299.tif 000005
【図５】
0003618299.tif 000006
【図６】
0003618299.tif 000007
【図７】
0003618299.tif 000008
【図８】
0003618299.tif 000009
【図９】
0003618299.tif 000010
【図１０】
0003618299.tif 000011
【図１１】
0003618299.tif 000012
【図１２】
0003618299.tif 000013
【図１３】
0003618299.tif 000014
【図１４】
0003618299.tif 000015
【図１５】
0003618299.tif 000016
【図１６】
0003618299.tif 000017
【図１７】
0003618299.tif 000018
【図１８】
0003618299.tif 000019
【図１９】
0003618299.tif 000020
【図２０】
0003618299.tif 000021
【図２１】
0003618299.tif 000022
【図２２】
0003618299.tif 000023